(57)【要約】【課題】簡易な構造で軽量化が図れ、さらに安価で且つ短い工期で構築できるサッシ結露防止構造を提供することを課題とする。【解決手段】ガラス１０の周囲を把持するサッシ１１の枠部１２の室外側に、この枠部１２と断熱して外壁材５０を設け、ガラス１０と外壁材５０との間にシール材２０を充填して、このシール材２０でサッシ１１の枠部１２を外気Ａと遮断するように構成し、さらに、サッシ１１の枠部１２と外壁材５０との間に、断熱材２５を充填したものが好ましい。【選択図】図１
2008214910.tif 000002
【特許請求の範囲】
【請求項１】
ガラスの周囲を把持するサッシの枠部の室外側に、この枠部と断熱して外壁材を設け、
前記ガラスと前記外壁材との間にシール材を充填して、このシール材で前記サッシの枠部を外気と遮断するように構成した
ことを特徴とするサッシ結露防止構造。
【請求項２】
前記サッシの枠部と前記外壁材との間に、断熱材を充填した
ことを特徴とする請求項１に記載のサッシ結露防止構造。
【発明の詳細な説明】
【技術分野】
【０００１】
本発明は、サッシ結露防止構造に関する。
【背景技術】
【０００２】
従来より、サッシの結露を防止する構造として、図２に示すような断熱サッシ１００があった。この断熱サッシ１００は、断熱ガラス１０１と、外気Ａに晒される外側サッシ１０２と、室内側に露出する内側サッシ１０３とで主に構成されており、外側サッシ１０２と内側サッシ１０３とを断熱性樹脂１０４材で連結することで、一体化されたものである（例えば、特許文献１参照）。このような断熱サッシ１００によれば、外気Ａで冷却された外側サッシ１０２の冷熱は断熱性樹脂材１０４で断熱され、内側サッシ１０３への熱伝導が大幅に減少されるので、内側サッシ１０３に結露が発生するのを防止できる。
【特許文献１】特開２００５−１５５２８７号公報（段落番号０００９）
【発明の開示】
【発明が解決しようとする課題】
【０００３】
しかしながら、前記した従来の断熱サッシ１００では、外側サッシ１０２が外気Ａに晒されているので、外側サッシ１０２を介して外気Ａの冷熱が、断熱ガラス１０１よりも室内側に伝達されてしまうので、外側サッシ１０２の室内部分では結露が発生してしまう。そのため、外側サッシ１０２の下側には水抜き構造を設けるなど、構造が複雑になっていた。また、断熱サッシ１００は、外側サッシ１０２と内側サッシ１０３の二層構造となっているため、構造が複雑になるとともに、サッシの重量化も招くといった問題があった。
【０００４】
さらに、断熱サッシ１００は高価であり、納期が長くて工期の長期化を招くとともに、既製品のデザインやサイズの種類が少なく建物の設計の自由度が低くなってしまう。デザインやサイズについては、特注品にて対応することが可能であるが、これでは、さらなる高コスト化と納期の長期化を招いてしまう。また、従来のサッシでは、サッシの枠部がガラスの周縁部に露出してしまい、ガラス面の多い近代建築においては、煩雑な印象を与える場合もあった。
【０００５】
そこで、本発明は、前記の問題を解決すべく案出されたものであって、簡易な構造で軽量化が図れ、さらに安価で且つ短い工期で構築できるサッシ結露防止構造を提供することを課題とする。
【課題を解決するための手段】
【０００６】
前記課題を解決するために、請求項１に係る発明は、ガラスの周囲を把持するサッシの枠部の室外側に、この枠部と断熱して外壁材を設け、前記ガラスと前記外壁材との間にシール材を充填して、このシール材で前記サッシの枠部を外気と遮断するように構成したことを特徴とするサッシ結露防止構造である。
【０００７】
このような構成によれば、シール材によってサッシの枠部を外気と遮断しているので、外気の冷熱がサッシに伝達されにくい。したがって、室内側のサッシ温度が室内温度と比較して大きく変わることがなく、サッシに結露が発生し難くなる。そして、サッシをシール材で外気と遮断して室内側に入れてしまうことで、枠部が外気に晒されないので、従来のように断熱サッシを用いる必要がない。したがって、断熱サッシと比較して簡易な構造で軽量である一般のサッシを用いることができる。このような一般のサッシは汎用性が高く、安価で納期も早いため、施工コストの低減と工期の短縮が達成できる。
【０００８】
また、かかるサッシ結露防止構造を外部から見ると、サッシの枠部が外壁の内側に隠れて見えず、外壁材の内側にガラスが直接取り付けられているように見え、すっきりとした印象を与えることができる。
【０００９】
請求項２に係る発明は、前記サッシの枠部と前記外壁材との間に、断熱材を充填したことを特徴とする請求項１に記載のサッシ結露防止構造である。
【００１０】
このような構成によれば、外壁材とサッシとの断熱性能を高め、結露防止効果をより高くすることができる。
【発明の効果】
【００１１】
本発明によれば、簡易な構造で軽量化が図れ、さらに低コスト化を安価で且つ短い工期で構築できるといった優れた効果を発揮する。
【発明を実施するための最良の形態】
【００１２】
本発明を実施するための最良の形態について、添付図面を参照しながら詳細に説明する。なお、本実施の形態では、現場打ちの鉄筋コンクリート製壁柱の外側に、断熱層と外壁材が設けられた外断熱構造の建物に、本発明に係るサッシ結露防止構造を設けた場合を例に挙げて説明する。
【００１３】
図１に示すように、鉄筋コンクリート製の壁柱３０の外側には、パネル状の断熱層４０が設けられ、その外側には、外壁材５０となるプレキャストコンクリート版５１が設けられている。断熱層４０は、壁柱３０の外側（建物の外部側）表面に当接して配置されており、プレキャストコンクリート版５１と壁柱３０との間で挟まれて固定されている。断熱層４０は、例えば厚さ１００ｍｍのＦＰ板（発泡ポリスチレン製の断熱材）にて構成されており、その外側（プレキャストコンクリート版５１側）表面には、上下左右方向に延びる溝４１が形成されている。断熱層４０の外側表面には、プレキャストコンクリート版５１が当接して固定されており、プレキャストコンクリート版５１の内側部分（建物の内部側）表面と溝４１とで、通気層４５が区画形成されている。
【００１４】
ところで、本実施の形態に係るサッシ結露防止構造１は、ガラス１０の周囲を把持するサッシ１１の枠部１２の室外側に、この枠部１２と断熱した状態で外壁材５０を設けるとともに、ガラス１０と外壁材５０との間にシール材２０を充填して、このシール材２０でサッシ１１の枠部１２を外気Ａと遮断するように構成したことを特徴とする。
【００１５】
本実施の形態においては、ガラス１０は、二枚の高遮熱断熱ガラス１０ａ，１０ａを所定の間隔を隔てて平行に配置した複層ガラスにて構成されている。二枚の高遮熱断熱ガラス１０ａ，１０ａの外周縁部には、高遮熱断熱ガラス１０ａ，１０ａ同士を接着するシール材１０ｂと、このシール材１０ｂの内周側に設けられ高遮熱断熱ガラス１０ａ，１０ａ同士を所定の間隔を隔てて配置するスペーサ１０ｃとが介設されている。このスペーサ１０ｃは、シール材１０ｂのバックアップ材の役目も果たす。
【００１６】
サッシ１１は、二層の断熱サッシではない通常の一層のサッシが採用されており、アルミニウムやステンレス等で形成されている。サッシ１１の枠部１２は、ガラス１０の周囲を室内側と室外側の両方から挟み込んで把持するように構成されている。枠部１２の室外側把持部１２ａには、ガスケット１３が取り付けられており、このガスケット１３が、ガラス１０の外周縁の室外側表面に当接している。一方、枠部１２の室内側把持部１２ｂは、室外側把持部１２ａよりもガラス１０の内周側（図１中、右側）に形成されている。室内側把持部１２ｂには、ガラス１０との隙間にスペーサ１４ａが取り付けられている。さらにスペーサ１４ａよりも内周側部分の、室内側把持部１２ｂとガラス１０の室内側表面の隙間には、シール材１４ｂが充填されている。このシール材１４ｂは、二枚の高遮熱断熱ガラス１０ａ，１０ａ間のシール材１０ｂとスペーサ１０ｃよりもガラス１０の内周側に位置するように充填されており、室内側から見て、二枚の高遮熱断熱ガラス１０ａ，１０ａ間のシール材１０ｂとスペーサ１０ｃが、枠部１２の陰に隠れるようになっている。
【００１７】
サッシ１１の、断熱層４０側の側面には、凹部１５が形成されている。この凹部１５は、上下方向に沿って全長に亘って形成されており、凹部１５には、後記する断熱材２４が充填されるようになっている。
【００１８】
なお、前記のガラス１０およびサッシ１１の形状は一例であって、前記構成に限定されるものではなく、断熱サッシではない通常の一層サッシであれば、どのようなサッシを用いてもよい。
【００１９】
サッシ１１は、構造躯体である壁柱３０の側面に設けられたステンレス製の室内側窓枠３１にビス３２などの固着部材を介して固定されている。なお、図１中、３３は、室内側窓枠３１の一端を壁柱３０に取り付けるための取付用アングルを示し、３４は、室内側窓枠３１の他端を壁柱３０に接続するためのガスケットを示す。
【００２０】
サッシ１１は、壁柱３０および断熱層４０の側面と所定距離を空けて配置されている。サッシ１１と、壁柱３０および断熱層４０との隙間には、発泡ウレタン等からなる発泡性の断熱材２４が充填されている。この発泡ウレタンは、低発泡性のものが用いられ、サッシ１１の凹部１５にも充填されることで、断熱材２４の厚さが大きくなり断熱効果が高められている。断熱材２４は、施工現場でサッシ１１を壁柱３０に固定した後に、壁柱３０および断熱層４０との隙間に充填される。
【００２１】
外壁材５０は、サッシ１１よりも室外側に配置されており、サッシ１１に面する側端面が、壁柱３０および断熱層４０の側端面よりも、サッシ１１側（図１中、右側）に張り出して形成されている。具体的には、外壁材５０は、サッシ１１の枠部１２の室外側把持部１２ａよりもガラス１０側（図１中、右側）に延出しており、外側から見て、サッシ１１を覆うように構成されている。外壁材５０の側端面は、室外側把持部１２ａの端部よりも、所定距離（例えば２０ｍｍ）ガラス１０側に張り出しており、室外側把持部１２ａの端部のガラス１０内周側にシール材２０が充填できるように構成されている。
【００２２】
サッシ１１の枠部１２は、外壁材５０の張出し部５２の室内側表面５２ａと所定距離（例えば１５ｍｍ）の隙間をあけて配置されている。これによって、外壁材５０の冷熱はサッシ１１に直接伝達されず、また、サッシ１１と接続されている壁柱３０は、外壁材５０とは断熱層４０を介して接続されているので、外壁材５０の冷熱は伝達されにくい。したがって、外壁材５０は、枠部１２と断熱して設けられていることとなる。
【００２３】
外壁材５０の張出し部５２の室内側表面５２ａの側端部と、ガラス１０との間には、シール材２０が充填されている。シール材２０は、サッシ１１の取付後に現場施工され、サッシ１１の枠部１２の外気Ａ側を塞ぐように構成されている。シール材２０は、枠部１２の室外側把持部１２ａと若干の隙間をあけて形成されている。シール材２０は、内部に外気Ａが流通するのを防止するために設けられており、例えばウレタン系、ポリサルファイド系やシリコーン系等の材料にて構成されており、断熱性を有するものでも有しないものでもどちらでもよい。外壁材５０の張出し部５２の側端面は、ガラス１０の外周縁部から所定距離（例えば２５ｍｍ）内周側部分に形成されるように構成されており、室外側から見て、二枚の高遮熱断熱ガラス１０ａ，１０ａ間のシール材１０ｂとスペーサ１０ｃが、外壁材５０の陰に隠れるようになっている。
【００２４】
シール材２０の断熱層４０側の、枠部１２の室外側把持部１２ａの端部と、外壁材５０の張出し部５２の室内側表面５２ａとの間には、先行シール材２１が充填されている。この先行シール材２１は、外気Ａ側のシール材２０を充填する前に、先行して現場施工されるものである。
【００２５】
枠部１２と、外壁材５０の張出し部５２の室内側表面５２ａとの間には、発泡ウレタン等からなる発泡性の断熱材２５が充填されている。この発泡ウレタンは、前記断熱材２４と同様に低発泡性のものが用いられている。断熱材２５は、施工現場でサッシ１１を壁柱３０に固定した後に、枠部１２と外壁材５０の張出し部５２の室内側表面５２ａとの隙間に充填される。断熱材２５は、隣り合う断熱材２４と同時に充填してもよいし、別々に充填してもよい。また、サッシ１１の枠部１２と外壁材５０の張出し部５２の室内側表面５２ａとの隙間は、断熱材２５を充填せずに空気層とし、サッシ１１と壁柱３０および断熱層４０との隙間にのみ、断熱材２４を充填するようにしてもよい。
【００２６】
以上のような構成のサッシ結露防止構造１によれば、外壁材５０が、サッシ１１の枠部１２を覆うように、張り出すとともに、張出し部５２とガラス１０との間にシール材２０を充填することで、サッシ１１が外気Ａに露出されなくなる。すなわち、サッシ１１の枠部１２は、シール材２０によって外気Ａと遮断されることとなるので、外気Ａの冷熱がサッシ１１に伝達されにくい。したがって、室内側のサッシ温度が室内温度と比較して大きく変わることがなく、サッシ１１に結露が発生し難くなる。
【００２７】
さらに、サッシ１１の枠部１２は、外壁材５０と所定距離をあけて配置されているので、外壁材５０と断熱されており、サッシ１１に外壁材５０から冷熱が伝達されるのを防止できる。また、サッシ１１の枠部１２と外壁材５０との間に、断熱材２５を充填したことで、外壁材５０とサッシ１１との断熱性能を高めることができ、サッシ１１の結露防止効果をより一層高くすることができる。
【００２８】
また、サッシ１１をシール材２０で外気Ａと遮断して室内側に入れてしまうことで、枠部１２が外気Ａに晒されないので、従来のように二層の断熱サッシを用いる必要がない。したがって、断熱サッシと比較して簡易な構造で軽量である一般のサッシを用いることができ、施工を行いやすくなる。さらに、このような一般のサッシは汎用性が高く、安価で納期も早いため、施工コストの低減と工期の短縮が達成できる。
【００２９】
さらに、本実施の形態に係るサッシ結露防止構造１を外部から見ると、サッシ１１の枠部１２が外壁材５０の内側に隠れて見えず、外壁材５０の内側にガラス１０が直接取り付けられているように見えるので、建物にすっきりとした印象の外観を与えることができる。また、ガラス１０の二枚の高遮熱断熱ガラス１０ａ，１０ａ間のシール材１０ｂとスペーサ１０ｃも、外壁材５０の陰に隠れるようになっているので、ガラス１０のみを見せることができる。
【００３０】
以上、本発明を実施するための形態について説明したが、本発明は前記実施の形態に限定されず、本発明の趣旨を逸脱しない範囲で適宜設計変更が可能である。例えば、前記実施の形態では、サッシ結露防止構造１を、現場打ちの鉄筋コンクリート製壁柱３０の外側に、断熱層４０と外壁材５０が設けられた外断熱構造の建物に設けた場合を例に挙げて説明したが、このような外断熱構造の建物に限定されるものではなく、内断熱構造の建物であっても、サッシ結露防止構造を適用可能であるのは勿論である。
【図面の簡単な説明】
【００３１】
【図１】本発明に係るサッシ結露防止構造を実施するための最良の形態を示した断面図である。
【図２】従来の断熱サッシを示した断面図である。
【符号の説明】
【００３２】
１      サッシ結露防止構造
１０    ガラス
１１    サッシ
１２    枠部
２０    シール材
２５    断熱材
５０    外壁材
Ａ      外気
【図１】
2008214910.tif 000003
【図２】
2008214910.tif 000004